(57)【要約】【課題】操作者の指の状態に関わらず、良好な操作性を保つことができる入力装置を提供する。【解決手段】実施の形態に係る入力装置１は、主に、本体１０と、本体１０に設けられ、操作面２０に対する操作を検出する検出部２と、操作面２０に気体４を供給する供給部３と、を備える。この入力装置１によれば、操作面２０方向に気体４を供給するので、操作者の指が乾燥した状態に近づくこととなり、操作面２０方向に気体が供給されない場合と比べて、操作者の指の状態に関わらず、良好な操作性を保つことができる。【選択図】図１
2012194953.tif 000002
【特許請求の範囲】
【請求項１】
本体と、
前記本体に設けられ、操作面に対する操作を検出する検出部と、
前記操作面に気体を供給する供給部と、
を備えた入力装置。
【請求項２】
前記供給部に設けられ、前記操作面に供給する前記気体の量を調整する調整部と、
前記調整部を制御する制御部と、
を備えた請求項１に記載の入力装置。
【請求項３】
前記制御部は、前記気体を供給する気体供給装置から出力される前記気体の供給量を示す供給情報に基づいて前記調整部を制御する請求項２に記載の入力装置。
【請求項４】
前記供給部は、前記気体が流入する少なくとも１つの流入開口と、前記気体が送出される少なくとも１つの送出開口と、を有し、
前記本体は、前記流入開口に基づいて形成された少なくとも１つの第１の開口と、前記送出開口に基づいて形成された少なくとも１つの第２の開口と、を有する請求項３に記載の入力装置。
【発明の詳細な説明】
【技術分野】
【０００１】
本発明は、入力装置に関する。
【背景技術】
【０００２】
従来の技術として、ガラス基板と、ガラス基板上に形成された透明層と、ガラス基板の面に平行な赤外線を発振する発光ダイオードと、発光ダイオードと対向して設けられたフォトトランジスタと、を備えるタッチパネルが知られている（例えば、特許文献１参照。）。
【０００３】
このタッチパネルは、発光ダイオードから発振された赤外線が、ガラス基板上に平行に通され、フォトトランジスタにより感知される。このタッチパネルは、赤外線が操作者の指により遮断され、フォトトランジスタにより感知されなくなることを利用してガラス基板上の指の接触位置を検出するものである。
【０００４】
また、このタッチパネルは、表面における十点平均粗さが０．５〜６．０μｍである透明層を設けているので、操作者の指滑り性に優れる。
【先行技術文献】
【特許文献】
【０００５】
【特許文献１】特開２００５−３８２８８号公報
【発明の概要】
【発明が解決しようとする課題】
【０００６】
一般的に、操作者の指が乾燥しているときは、滑り性に優れていても、指が湿っている場合は、指が滑り難く、操作し辛くなることが知られている。従って、如何に操作者の指を乾燥した状態に近づけるかという問題があった。
【０００７】
従って、本発明の目的は、操作者の指の状態に関わらず、良好な操作性を保つことができる入力装置を提供することにある。
【課題を解決するための手段】
【０００８】
本発明の一態様は、本体と、本体に設けられ、操作面に対する操作を検出する検出部と、操作面に気体を供給する供給部と、を備えた入力装置を提供する。
【発明の効果】
【０００９】
本発明によれば、操作者の指の状態に関わらず、良好な操作性を保つことができる。
【図面の簡単な説明】
【００１０】
【図１】図１（ａ）は、第１の実施の形態に係る入力装置の斜視図であり、（ｂ）は、（ａ）のI（ｂ）-I（ｂ）線で切断した断面を示す概略図であり、（ｃ）は、（ｂ）に示すスリット周辺を拡大した概略図である。
【図２】図２（ａ）は、第１の実施の形態に係る供給部の斜視図であり、（ｂ）は、供給部を第１のダクト方向から見た概略図である。
【図３】図３（ａ）は、第２の実施の形態に係る入力装置の要部断面図であり、（ｂ）は、入力装置のブロック図であり、（ｃ）は、気体の送風量と弁体開度の関係を示す表である。
【図４】図４（ａ）は、第３の実施の形態に係る入力装置の斜視図であり、（ｂ）は、第４の実施の形態に係る入力装置の斜視図である。
【発明を実施するための形態】
【００１１】
［実施の形態］
（実施の形態の要約）
実施の形態に係る入力装置は、本体と、本体に設けられ、操作面に対する操作を検出する検出部と、操作面に気体を供給する供給部と、を備える。
【００１２】
[第１の実施の形態]
（入力装置の構成）
図１（ａ）は、第１の実施の形態に係る入力装置の斜視図であり、（ｂ）は、（ａ）のI（ｂ）-I（ｂ）線で切断した断面を示す概略図であり、（ｃ）は、（ｂ）に示すスリット周辺を拡大した概略図である。本実施の形態に係る入力装置１は、例えば、車両の運転席と助手席の間のコンソールに設けられるものであり、液晶ディスプレイ等の表示装置に表示されたカーソル等を操作することができる入力装置である。なお、実施の形態に係る各図において、部品と部品との比率は、実際の比率とは異なる場合がある。
【００１３】
本実施の形態に係る入力装置１は、主に、本体１０と、本体１０に設けられ、操作面２０に対する操作を検出する検出部２と、操作面２０に気体４を供給する供給部３と、を備える。
【００１４】
・本体１０の構成
本体１０は、例えば、流入開口３１０に基づいて形成された少なくとも１つの第１の開口としての開口１６０と、送出開口３３０に基づいて形成された少なくとも１つの第２の開口としてのスリット１２０とを有する。
【００１５】
また本体１０は、例えば、図１（ａ）および（ｂ）に示すように、箱形状を有し、表面１１の中央には、縁の形状が矩形状となる開口１１０が設けられている。この開口１１０には、検出部２の操作面２０が露出している。
【００１６】
また、本体１０は、例えば、表面１１と開口１１０とには、段差が付けられ、その段差部分には、斜面１２〜斜面１５が形成されている。この斜面１２は、例えば、開口１１０の長手方向の縁側に設けられ、斜面１４と対向している。また、斜面１３は、例えば、開口１１０の短手方向の縁側に設けられ、斜面１５と対向している。
【００１７】
この斜面１２には、例えば、少なくとも１つのスリット１２０が形成されている。本実施の形態に係る斜面１２には、図１（ａ）に示すように、複数のスリット１２０が形成されている。
【００１８】
本体１０の長手方向の側面１６には、例えば、図１（ａ）に示すように、その縁が円形状となる開口１６０が形成されている。この開口１６０には、後述する供給部３の第１のダクト３１が取り付けられている。
【００１９】
なお、本体１０は、例えば、図１（ａ）に示す側面１６が車両の後方向に面しており、側面１６の反対側の側面は、車両の前方向に面している。
【００２０】
・検出部２の構成
検出部２は、例えば、図１（ａ）および（ｂ）に示すように、板形状を有し、操作面２０になされた操作を検出して検出信号を出力するように構成されている。検出部２は、例えば、操作者の指の操作面２０に対する接近、または接触による静電容量の変化を検出する静電容量方式、対向する抵抗膜に電圧を印加し、操作した位置に応じて変化する電圧を検出する抵抗膜方式、ガラス基板に振動波を発生させ、操作に基づく振動波の変化を検出する超音波方式、または赤外線を遮蔽した位置に応じて操作位置を検出する赤外線方式等のタッチセンサを含んで構成されている。
【００２１】
検出部２は、例えば、スライド操作、ジェスチャ操作およびプッシュ操作等を検出して検出信号を出力するように構成されている。スライド操作とは、例えば、指を操作面２０に接触させて一方向に移動させる操作である。ジェスチャ操作とは、例えば、指による操作の軌跡が予め定められた形状となる操作である。プッシュ操作とは、例えば、図１（ｂ）の紙面上から下に向けて操作面２０を押し下げる操作である。
【００２２】
・供給部３の構成
図２（ａ）は、第１の実施の形態に係る供給部の斜視図であり、（ｂ）は、供給部を第１のダクト方向から見た概略図である。
【００２３】
供給部３は、例えば、気体４が流入する少なくとも１つの流入開口３１０と、気体４が送出される少なくとも１つの送出開口３３０と、を有する。また、供給部３は、例えば、図１（ｂ）、（ｃ）、図２（ａ）および（ｂ）に示すように、第１のダクト３１および第２のダクト３２を有して概略構成されている。第１のダクト３１および第２のダクト３２は、例えば、一体に形成される。
【００２４】
第１のダクト３１は、例えば、円筒形状を有し、その一端は、本体１０の開口１６０に取り付けられている。また、第１のダクト３１の他端は、例えば、第２のダクト３２の第１の側面３２１に設けられている。第１のダクト３１と第２のダクト３２は、通じている。なお、第１のダクト３１の形状は、円筒形状に限定されない。
【００２５】
この第１のダクト３１は、例えば、気体供給装置のダクトに接続され、この気体供給装置のダクトを介して気体４が供給される。本実施の形態における気体供給装置とは、例えば、車両に搭載された空調装置である。従って、本実施の形態に係る気体４とは、空調装置により、温度と湿度が調整された空気である。なお、気体４は、温度と湿度が調整された空気に限定されず、例えば、車両の外の空気（外気）等であっても良い。
【００２６】
第２のダクト３２は、例えば、図２（ａ）に示すように、内部に空洞を有する柱体形状を備えている。第２のダクト３２は、例えば、第１のダクト３１が取り付けられた第１の側面３２１の反対側の第２の側面３２２の上側（図２（ａ）の紙面上側）に、長手方向に沿って傾斜部３３が形成されている。この傾斜部３３には、例えば、図１（ｂ）および（ｃ）に示すように、本体１０の斜面１２に対応して送出開口３３０が形成されている。なお、この送出開口３３０は、例えば、斜面１２に形成されたスリット１２０に応じた形状としても良い。
【００２７】
供給部３は、第１のダクト３１から取り入れた気体４を、第２のダクト３２の送出開口３３０、本体１０のスリット１２０を介して操作面２０方向に送出するように構成されている。なお、この送出開口３３０から送出された気体４は、例えば、操作面２０の全域に行き渡るように送出されることが好ましい。
【００２８】
以下に、本実施の形態に係る入力装置の動作について各図を参照して説明する。
【００２９】
（動作）
操作者が空調装置を動作させると、空調装置のダクトを介して供給部３の第１のダクト３１に、温度調整がなされた気体４が供給される。
【００３０】
気体４は、第１のダクト３１および第２のダクト３２を介して第２のダクト３２の送出開口３３０から送出され、複数のスリット１２０から操作面２０方向に送出される。
【００３１】
（第１の実施の形態の効果）
本実施の形態に係る入力装置１によれば、操作面２０方向に気体４を供給するので、操作者の指が乾燥した状態に近づくこととなり、操作面２０方向に気体が供給されない場合と比べて、操作者の指の状態に関わらず、良好な操作性を保つことができる。
【００３２】
［第２の実施の形態］
第２の実施の形態は、操作面２０に供給する気体４の送風量を調整することができる点で第１の実施の形態と異なっている。なお、以下の各実施の形態では、第１の実施の形態と共通の部分は、第１の実施の形態と共通の符号が付され、その説明は省略されるものとする。
【００３３】
（入力装置１の構成）
図３（ａ）は、第２の実施の形態に係る入力装置の要部断面図であり、（ｂ）は、入力装置のブロック図であり、（ｃ）は、気体の送風量と弁体開度の関係を示す表である。
【００３４】
本実施の形態に係る入力装置１は、例えば、図３（ｂ）に示すように、供給部３に設けられ、操作面２０に供給する気体４の量（以下送風量と記載）を調整する調整部５と、調整部５を制御する制御部６と、を備えて概略構成されている。
【００３５】
・調整部５の構成
本実施の形態に係る調整部５は、例えば、図３（ａ）に示すように、供給部３の第１のダクト３１に設けられている。なお、本実施の形態の変形例として、調整部５は、第２のダクト３２に設けられても良いし、入力装置１と空調装置の間に設けられても良い。
【００３６】
この調整部５は、例えば、図３（ａ）および（ｂ）に示すように、弁体５０と、弁棒５１と、モータ５２と、を備えて概略構成されている。
【００３７】
弁体５０は、例えば、第１のダクト３１の断面形状に応じた形状を有する。つまり、弁体５０は、例えば、弁体５０の弁体開度が０％であるとき、気体４が第２のダクト３２に流れ込まないように構成されている。
【００３８】
弁体５０には、例えば、弁棒５１が設けられている。また、弁棒５１は、モータ５２の出力軸と接続されている。弁棒５１は、弁体５０の回転軸に応じて設けられている。つまり、弁体５０の回転軸は、弁棒５１となる。モータ５２は、例えば、制御部６から出力される制御信号に基づいて制御される。
【００３９】
・制御部６の構成
制御部６は、例えば、ＣＰＵ（Central Processing Unit）、ＲＡＭ（Random Access Memory）、ＲＯＭ（Read Only Memory）等を含むマイクロコンピュータである。制御部６は、例えば、図３（ｂ）に示すように、制御情報６０を備えている。この制御情報６０は、例えば、ＲＡＭに格納されている。この制御情報６０は、例えば、空調装置から取得された供給情報としての送風量情報に応じた弁体５０の弁体開度を実現するために必要な情報である。また、この送風量情報とは、例えば、気体を供給する空調装置から出力される気体の供給量を示す情報である。本実施の形態に係る制御部６は、例えば、操作面２０方向に送出される送風量がほぼ一定となるように、弁体５０を制御して弁体開度を調整する。
【００４０】
空調装置は、一例として、送出する気体４の温度調整の他に、送出する気体４の送風量を、三段階に調節することができるものとする。この送風量とは、例えば、単位時間当たりに送出した気体４の量である。空調装置は、例えば、図３（ｃ）に示すように、標準的な送風量（図３（ｃ）に示す「中」）、標準的な送風量よりも大きい送風量（図３（ｃ）に示す「大」）、および標準的な送風量よりも小さい送風量（図３（ｃ）に示す「小」）の三段階に、送風量を調整することができる。なお、空調装置は、送風量が小から大へと連続的に送風量を変えることができるものであっても良い。
【００４１】
制御部６は、例えば、図３（ｃ）に示すように、空調装置の送風量が小であるとき、弁体５０の弁体開度を大（一例として１００％）とする。また、制御部６は、例えば、図３（ｃ）に示すように、空調装置の送風量が中であるとき、弁体５０の弁体開度を中（一例として５０％）とする。さらに、制御部６は、例えば、図３（ｃ）に示すように、空調装置の送風量が大であるとき、弁体５０の弁体開度を小（一例として１０％）とする。
【００４２】
また、制御部６は、例えば、検出部２から出力される検出信号に基づいて、操作面２０になされた操作の情報である操作情報を生成して出力するように構成されている。この操作情報は、例えば、操作がなされた位置の情報、およびタッチ操作、プッシュ操作等を示す情報を含む情報である。
【００４３】
以下に、本実施の形態に係る入力装置１の動作について、各図を参照しながら説明する。
【００４４】
（動作）
操作者が空調装置を動作させると、入力装置１の制御部６は、送風量情報を空調装置から取得する。空調装置の送風量は、例えば、中であるものとする。
【００４５】
制御部６は、取得した送風量情報と制御情報６０とに基づいて制御信号を生成して調整部５に出力する。
【００４６】
調整部５は、取得した制御情報に基づいてモータ５２を駆動し、送風量「中」に応じた弁体開度を実現する。
【００４７】
入力装置１は、空調装置のダクトを介して供給部３の第１のダクト３１に、温度調整がなされた気体４が供給される。
【００４８】
気体４は、調整部５により、第２のダクト３２に流入する送風量が調整され、第２のダクト３２の送出開口３３０から送出され、複数のスリット１２０から操作面２０方向に送出される。
【００４９】
（第２の実施の形態の効果）
第２の実施の形態に係る入力装置１は、操作面２０に送出する気体４の送風量を一定量に調整することができるので、調整できないものと比べて、操作者の操作性を向上させることができる。
【００５０】
なお、第２の実施の形態の変形例として、入力装置１は、例えば、送風量情報とともに、気体４の温度の情報を取得し、送風量、および取得した温度の情報、に基づいて弁体開度を決定する構成としても良い。
【００５１】
［第３の実施の形態］
第３の実施の形態は、スリットが対向する２つの斜面に設けられる点で、上記の実施の形態とは異なっている。以下の各実施の形態では、主に、入力装置１の構成の違いについて説明する。以下の入力装置１は、例えば、空調装置から送出される温度調整された気体４を操作面２０に送出する動作については、気体４の経路を除いては、第１の実施の形態または第２の実施の形態と同様である。
【００５２】
図４（ａ）は、第３の実施の形態に係る入力装置の斜視図である。この入力装置１は、例えば、図４（ａ）に示すように、斜面１２に対向する斜面１４に複数のスリット１４０が設けられている。
【００５３】
入力装置１は、例えば、供給部３として、第１のダクト３１、第２のダクト３２、および第２のダクト３２と接続された第３のダクト（図示せず）を備えている。気体４は、例えば、第１のダクト３１、および第２のダクト３２の送出開口３３０を介してスリット１２０から送出され、また、第１のダクト３１、第２のダクト３２、および第３のダクトの送出開口（図示せず）を介してスリット１４０から送出される。
【００５４】
なお、本実施の形態に係る変形例として、入力装置１は、例えば、第１のダクト３１および第２のダクト３２を本体１０の斜面１４側にも設け、空調装置からのダクトを、斜面１２側の第１のダクト３１と斜面１４側の第１のダクト３１の２つに接続する構成としても良い。
【００５５】
（第３の実施の形態の効果）
本実施の形態に係る入力装置１は、互いに対向する斜面１２および斜面１４に設けられたスリット１２０およびスリット１４０から気体４を送出するので、どちらか一方側からのみ気体を送出する場合と比べて、操作者の指を乾燥した状態に近づけることができ、操作性が向上する。
【００５６】
［第４の実施の形態］
第４の実施の形態は、操作面２０の４つの辺に沿って形成されたスリットを介して操作面２０に気体４を供給する点で上記の各実施の形態と異なっている。
【００５７】
図４（ｂ）は、第４の実施の形態に係る入力装置の斜視図である。本実施の形態に係る入力装置１は、例えば、図４（ｂ）に示すように、操作面２０の４つの辺に応じた複数のスリット（スリット１２０、スリット１３０、スリット１４０およびスリット１５０）を有し、供給部３は、操作面２０の４つの辺に応じたスリットを介して操作面２０に気体４を供給するように構成されている。
【００５８】
本実施の形態に係る入力装置１は、第３の実施の形態と同様に、斜面１２〜斜面１５のそれぞれに第１のダクト３１および第２のダクト３２が設けられ、斜面１２側の第２のダクト３２と、斜面１３〜斜面１５の第２のダクト３２と、が接続されている。この接続によって、斜面１２の第１のダクト３１から取り入れられた気体４は、斜面１２〜斜面１５のスリット１２０〜スリット１５０から操作面２０方向に送出される。
【００５９】
（第４の実施の形態の効果）
本実施の形態に係る入力装置１は、操作面２０に面する斜面１２〜斜面１５に設けられたスリット１２０〜スリット１５０から気体４を送出するので、１つの斜面から気体を送出する場合、対向する２つの斜面から気体を送出する場合、と比べて、操作者の指を乾燥した状態に近づけることができ、操作性が向上する。
【００６０】
上記の実施の形態の変形例として、供給部３は、気体４が流入する少なくとも１つの流入開口と、気体４が送出される少なくとも１つの送出開口と、を有し、本体１０は、流入開口に基づいて形成された少なくとも１つの第１の開口と、送出開口に基づいて形成された少なくとも１つの第２の開口と、を備える構成であって良い。つまり、流入開口は、例えば、上記の実施の形態では１つであったが、これに限定されない。また、送出開口は、例えば、上記の実施の形態では、１つであったが、これに限定されない。また、第１の開口は、例えば、上記の実施の形態では、１つであったが、これに限定されない。さらに、第２開口は、例えば、上記の実施の形態では、１つの辺に沿って複数形成されが、これに限定されない。
【００６１】
上記の実施の形態の変形例として、本体１０の開口１１０は、矩形状に限定されず、多角形形状等であっても良い。この場合、スリットは、例えば、多角形の各辺にそって形成される。
【００６２】
また、上記の実施の形態の変形例として、例えば、検出部２と本体１０の間に隙間を設け、この隙間から気体４を送出する構成としても良い。
【００６３】
以上、本発明のいくつかの実施の形態および変形例を説明したが、これらの実施の形態および変形例は、一例に過ぎず、特許請求の範囲に係る発明を限定するものではない。これら新規な実施の形態および変形例は、その他の様々な形態で実施されることが可能であり、本発明の要旨を逸脱しない範囲で、種々の省略、置き換え、変更等を行うことができる。また、これら実施の形態および変形例の中で説明した特徴の組合せの全てが発明の課題を解決するための手段に必須であるとは限らない。さらに、これら実施の形態および変形例は、発明の範囲及び要旨に含まれるとともに、特許請求の範囲に記載された発明とその均等の範囲に含まれる。
【符号の説明】
【００６４】
１…入力装置、２…検出部、３…供給部、４…気体、５…調整部、６…制御部、１０…本体、１１…表面、１２〜１５…斜面、１６…側面、２０…操作面、３１…第１のダクト、３２…第２のダクト、３３…傾斜部、５０…弁体、５１…弁棒、５２…モータ、６０…制御情報、１１０…開口、１２０〜１５０…スリット、１６０…開口、３１０…流入開口、３２１…第１の側面、３２２…第２の側面、３３０…送出開口
【図１】
2012194953.tif 000003
【図２】
2012194953.tif 000004
【図３】
2012194953.tif 000005
【図４】
2012194953.tif 000006